(57)【要約】【課題】本発明は流体供給機から流量表示器を除去して流体供給機の構成を簡略化することを課題とする。【解決手段】設定器３０は、直方体形状の筐体１００の前面に、表示部１１０、ＩＣカードリーダ部１２０、磁気カードリーダ部１３０、伝票発行部１４０、音声ガイダンス出力部１５０が配されている。表示部１１０の表示面１１１には、ガイダンス領域１１２と、第１の供給経路が軽油であることを示す第１の流体表示領域１１４と、第２の供給経路がＣＮＧであることを示す第２の流体表示領域１１６とが表示される。また、第１の流体表示領域１１４には、供給すべき流体として第１の流体（例えば、軽油）が選択された場合に第１の供給量表示部１１５が表示され、第２の流体表示領域１１６には、供給すべき流体として第２の流体（例えば、ＣＮＧ）が選択された場合に第２の供給量表示部１１７が表示される。【選択図】図２
2010120687.tif 000002
【特許請求の範囲】
【請求項１】
液体又は気体からなる流体の供給量を計測し、前記流体を被供給体に供給する流体供給機と、該流体供給機に対し前記流体の種別及び供給量を設定する設定器と有し、前記流体供給機から供給した流体の供給量を管理する流体供給量管理システムであって、
前記設定器は、
前記流体供給機による流体供給操作を行う操作者又は流体を供給される被供給体を識別するための情報を記憶した記憶媒体に記憶された情報を読み取る情報読み取り手段と、
タッチパネルを有する表示部と、
前記表示部に表示され、前記流体供給機より供給される流体の種別を前記タッチパネルの操作により選択する流体選択部と、
前記表示部に表示され、前記流体選択部により選択された供給対象流体の流量を前記流体供給機より読み込み、前記供給対象流体の供給量を表示する供給量表示部と、
を備えたことを特徴とする流体供給量管理システム。
【請求項２】
請求項１に記載の流体供給量管理システムであって、
前記供給量表示部を前記流体選択部と共に前記表示部に表示させる表示制御手段を備えたことを特徴とする流体供給量管理システム。
【発明の詳細な説明】
【技術分野】
【０００１】
本発明は流体供給量管理システムの改良に関する。
【背景技術】
【０００２】
例えば、運送会社またはバス会社などのように多数の車両を所有する事業所では、流体供給量管理システムの導入が進められている。この種の流体供給量管理システムは、事業所の敷地内に軽油等の燃料を貯蔵する地下タンク、地下タンクの燃料を汲み上げるポンプを有する流体供給機（燃料供給機又は計量機を含む）、流体供給機に供給すべき種別や供給量を設定する設定器などから構成される（例えば、本出願人が先に提案した特許文献１を参照）。
【０００３】
また、この種の流体供給量管理システムにおいて、被供給体としての車両に供給される流体としては、例えば、軽油の他に圧縮天然ガス（ＣＮＧ）やＬＰＧ（液化石油ガス）、ジメチルエーテル（ＤＭＥ）、燃料電池車に供給される水素あるいは燃料以外の流体として、例えば、ディーゼルエンジンの排気管内のＮＯｘ（窒素酸化物）に噴射混合して水と窒素に分解する尿素水等がある。
【特許文献１】特願２００７−１６６９８７（平成１９年６月２５日出願）
【発明の開示】
【発明が解決しようとする課題】
【０００４】
ところで、従来の流体供給量管理システムにおいて、例えば、燃料供給機を、ポンプ、流量計など専ら流体を供給する機能に特化した機器のみで構成しコストを抑制することが検討されている。
【０００５】
上述のように、流体を供給する機能に特化した機器のみで構成した場合、流量表示器が燃料供給機から削減されることになり、流体供給量管理システムでは、燃料供給機の給油ノズルによる給油が終了しても伝票が発行されるまで、車両の燃料タンクに給油操作する操作者は、供給量（給油量）が分からないという問題がある。
【０００６】
そこで、本発明は上記事情に鑑み、上記課題を解決した流体供給量管理システムを提供することを目的とする。
【課題を解決するための手段】
【０００７】
上記課題を解決するため、本発明は以下のような手段を有する。
【０００８】
本発明は、液体又は気体からなる流体の供給量を計測し、前記流体を被供給体に供給する流体供給機と、該流体供給機に対し前記流体の種別及び供給量を設定する設定器と有し、前記流体供給機から供給した流体の供給量を管理する流体供給量管理システムであって、
前記設定器は、
前記流体供給機による流体供給操作を行う操作者又は流体を供給される被供給体を識別するための情報を記憶した記憶媒体に記憶された情報を読み取る情報読み取り手段と、
タッチパネルを有する表示部と、
前記表示部に表示され、前記流体供給機より供給される流体の種別を前記タッチパネルの操作により選択する流体選択部と、
前記表示部に表示され、前記流体選択部により選択された供給対象流体の流量を前記流体供給機より読み込み、前記供給対象流体の供給量を表示する供給量表示部と、
を備えることにより、上記課題を解決するものである。
【０００９】
また、本発明は、請求項１に記載の流体供給量管理システムであって、
前記供給量表示部を前記流体選択部と共に前記表示部に表示させる表示制御手段を備えることにより、上記課題を解決するものである。
【発明の効果】
【００１０】
本発明によれば、流体供給機から流量表示器を削除すると共に、設定器の表示部に供給対象流体の供給量を表示することで、操作者は流体供給中でも供給量を確認することが可能になる。
【発明を実施するための最良の形態】
【００１１】
以下、図面を参照して本発明を実施するための最良の形態について説明する。
【実施例１】
【００１２】
図１は本発明による流体供給量管理システムの一実施例を示すブロック図である。図１に示されるように、流体供給量管理システム１０は、例えば、運送会社やバス会社などに設置される自家用の給油量管理システムであり、流体（燃料及び燃料以外の流体を含む）を車両に搭載されたタンクなどの被供給体に供給する流体供給機２０と、流体供給機２０に対し流体の種別及び供給量を設定する設定器３０と有する。尚、流体供給機２０としては、例えば、ガソリンや軽油などの燃料を供給する場合には、燃料供給機が想到し、燃料以外の液体や気体を供給する場合には、液体供給機、又はガス供給機等が想到します。
【００１３】
流体供給機２０は、ポンプ４０、ポンプ制御盤５０、流量計６０、制御装置７０を有する。流体供給機２０には、流量表示器（供給量表示器）が設けられておらず、その分コンパクト化されてコストが低減されている。また、本実施例においては、流体供給機２０には、例えば、軽油を供給する第１の供給経路と、圧縮天然ガス（ＣＮＧ）を供給する第２の供給経路とが設けられている。尚、ポンプ４０、ポンプ制御盤５０、流量計６０は、各供給経路毎に設けられている。また、第１の供給経路及び第２の供給経路の詳細は、給油装置やガス充填装置と同じであるので、ここでは、その説明を省略する。
【００１４】
設定器３０は、流体供給機２０の近傍に設置されており、例えば、操作者が流体供給機２０で被供給体への流体供給操作を行なう際に設定器３０をみることができる距離（例えば、３０ｃｍ〜５０ｃｍ程度）に設置されている。
【００１５】
ポンプ制御盤５０は、設定器３０で選択された流体の種別（軽油又はＣＮＧ）に対応する許可信号を受信すると、当該流体に対応するポンプ４０が起動可能な状態に設定される。また、操作者が当該流体に対応するノズルをノズル掛けから外すと、当該ノズルの供給経路に設けられたポンプ４０が起動されると共に当該ノズルに対応するノズル信号が設定器３０に送信される。
【００１６】
操作者がノズルのノズルレバーを開弁方向に操作することにより、被供給体である車両の燃料タンクに流体（本実施例では、軽油又はＣＮＧ）が供給されると共に、流量計６０によって生成された流量パルスが設定器３０に出力される。設定器３０では、流量パルスを積算して供給された供給量（積算流量）を算出し、その数値を当該選択された表示部の表示領域に表示する。
【００１７】
制御装置７０は、流体供給機２０に搭載された各機器の状態を管理すると共に、設定器３０と通信可能に接続されている。
【００１８】
図２は設定器３０の正面図である。図２に示されるように、設定器３０は、直方体形状の筐体１００の前面に、表示部１１０、ＩＣカードリーダ部１２０、磁気カードリーダ部１３０、伝票発行部１４０、音声ガイダンス出力部１５０が配されている。また、筐体１００の内部には、各機器を管理する制御部１６０（図２中、破線で示す）が収納されている。表示部１１０は、例えば、液晶パネル（ＬＣＤ）などからなり、その表示面１１１には入力手段としてのタッチパネル１１２を有する。また、表示部１１０は、表示面１１１に表示される画像により流体選択部または供給量表示部として機能する。
【００１９】
操作者は、予め配布されたＩＣカードまたは磁気カードに記憶された識別情報をＩＣカードリーダ部１２０または磁気カードリーダ部１３０に読み込ませる。ＩＣカードまたは磁気カードに記憶された識別情報としては、例えば、操作者を特定するための個人情報（例えば、社員番号、所属部署、氏名など）、あるいは被供給体としての車両を識別するための車両情報（例えば、車両ナンバー、車種、年式など）が含まれる。
【００２０】
図３は表示部１１０に表示されるスタート画面の表示例を示す図である。図３に示されるように、表示部１１０の表示面１１１には、例えば、上部に「カードを読み込ませて下さい」といった操作手順のメッセージを示すガイダンス領域１１２と、第１の供給経路が軽油であることを示す第１の流体表示領域１１４と、第２の供給経路がＣＮＧであることを示す第２の流体表示領域１１６とが表示される。また、第１の流体表示領域１１４には、供給すべき供給対象流体として第１の流体（例えば、軽油）が選択された場合の供給量を数値で表示する第１の供給量表示部１１５が表示され、第２の流体表示領域１１６には、供給すべき供給対象流体として第２の流体（例えば、ＣＮＧ）が選択された場合の供給量を数値で表示する第２の供給量表示部１１７が表示される。
【００２１】
ここで、図４のフローチャートを参照して設定器３０の制御部１６０が実行する制御処理について説明する。図４に示されるように、制御部１６０は、Ｓ１１でスタート画面Ａ（図５参照）を表示部１１０に表示する。続いて、Ｓ１２では、カード情報が入力されたか否かをチェックする。Ｓ１２において、ＩＣカードリーダ部１２０または磁気カードリーダ部１３０にカード情報が読み込まれない場合（ＮＯの場合）は上記Ｓ１１の処理に戻る。操作者が、ＩＣカードまたは磁気カードの記憶された識別情報をＩＣカードリーダ部１２０または磁気カードリーダ部１３０に読み込ませると、カード情報（識別情報）が入力される。従って、Ｓ１２において、ＩＣカードリーダ部１２０または磁気カードリーダ部１３０からカード情報が入力されると（ＹＥＳの場合）、Ｓ１３に進み、ＩＣカードリーダ部１２０または磁気カードリーダ部１３０から入力されたカード情報（識別情報）をメモリに記憶する。
【００２２】
次に、Ｓ１４に進み、表示部１１０の表示面１１１に流体選択画面Ｂ（図５参照）を表示させる。続いて、Ｓ１５では、供給対象流体の種別を選択したか否かをチェックする。Ｓ１５において、選択操作が行なわれない場合（ＮＯの場合）は、上記Ｓ１４の処理に戻る。操作者は、表示部１１０の表示面１１１に表示された流体選択画面Ｂにおいて、何れか一方の流体が記載された領域に触れて、供給対象流体を選択する。表示面１１１には、タッチパネル１１２が設けられているので、第１の流体表示領域１１４または第２の流体表示領域１１６に操作者が触れるだけで、表示面１１１に表示された供給対象流体の種別（軽油またはＣＮＧ）のうち何れか一方の流体が選択されたことを確認することができる。
【００２３】
上記Ｓ１５において、供給対象流体の種別（例えば、ＣＮＧ）が選択されると（ＹＥＳの場合）、Ｓ１６に進み、当該供給対象流体の表示領域（第２の流体表示領域１１６）に表示される供給量の数値（積算流量）をゼロにクリアする（供給量ゼロの画面Ｃ、図５参照）。続いて、Ｓ１７に進み、当該選択された供給対象流体（ＣＮＧ）の供給経路に対する許可信号を流体供給機２０に送信する。
【００２４】
次のＳ１８では、流量計６０から流量パルスが入力されたか否かをチェックする。Ｓ１８において、流量パルスが入力されないとき（ＮＯの場合）は、待機状態となる。Ｓ１８において、流量パルスが入力されると（ＹＥＳの場合）、Ｓ１９では流量パルスを積算して当該流体の供給量（積算流量）を演算する。そして、Ｓ２０では、積算された供給量（積算流量）を表示面１１１に表示された当該流体（ＣＮＧ）の表示領域（第２の流体表示領域１１６）に表示される供給量の数値に加算して数値を更新する（流量更新画面Ｄ、図５参照）。
【００２５】
次のＳ２１では、当該供給経路（ＣＮＧ）による供給が終了したか否かをチェックする。Ｓ２１において、当該供給経路のノズルがノズル掛けに戻されていない場合は（ＮＯの場合）、上記Ｓ１８に戻り、Ｓ１８〜Ｓ２１の処理を繰り返す。これにより、当該供給対象流体（ＣＮＧ）の表示領域（第２の流体表示領域１１６）に表示される供給量の数値（積算流量）が更新されて被供給体に供給された供給量を確認することができる。また、Ｓ２１において、当該供給経路のノズルがノズル掛けに戻された場合は（ＹＥＳの場合）、供給が終了したものと判断し、Ｓ２２に進む。Ｓ２２では、供給対象流体がＣＮＧの場合には、図６Ａに示されるように、供給対象流体の種別（ＣＮＧ）と供給量（例えば、２５．３５Ｎｍ３）を印字した伝票１２０Ａを伝票発行部１４０から発行する。また、供給対象流体が軽油の場合には、図６Ｂに示すように、供給対象流体の種別（軽油）と供給量（例えば、１２５．３２Ｌ）を印字した伝票１２０Ｂを伝票発行部１４０から発行する。
【００２６】
ここで、変形例について説明する。
【００２７】
図７は表示部１１０の別の表示例１を示す図である。設定器３０の表示部１１０は、流体供給機２０に設けられた供給経路で供給される流体の種別を表示する。そのため、流体供給機２０において、４種類の流体を供給する各供給経路が設けられている場合は、図７に示されるように、表示部１１０の表示面１１１には、前述したガイダンス領域１１２、第１の流体表示領域１１４、第２の流体表示領域１１６の他に、第３の流体が尿素水であることを表示する第３の流体表示領域１５０と、第４の流体がＧＭＥであることを表示する第４の流体表示領域１５２とが表示される。また、第３の流体表示領域１５０には、供給対象流体として第３の流体（本変形例では、尿素水）が選択された場合に第３の供給量表示部１５１が表示される。また、第４の流体表示領域１５２には、供給対象流体として第４の流体（本変形例では、ＤＭＥ）が選択された場合に第４の供給量表示部１５３が表示される。
【００２８】
この変形例の場合は、設定器３０において、被供給体に応じて４種類の流体の中から一の流体を選択することができ、流体供給機２０に対して選択された供給経路の許可信号を送信される。これにより、上記実施例の場合と同様に、選択された流体経路のノズルを操作して被供給体に流体を供給することが可能になる。
【００２９】
また、選択された供給対象流体の供給量は、流体供給機２０に搭載された流量計６０の流量パルスを積算して求まり、供給対象流体の供給量表示部（第１〜第４の供給量表示部１１５，１１７，１５１，１５３の何れか）の数値を一旦クリアした後、供給量に応じた数値を更新して常に現在の供給量を表示する。
【００３０】
これにより、流体供給機２０に流量表示器を設けなくても設定器３０の表示部１１０に表示された当該流体の供給量表示部により、現在の供給量を容易に確認することができる。
【００３１】
図８は表示部１１０の別の表示例２を示す図である。図８に示されるように、流体供給機２０において、６種類の流体を供給する各供給経路が設けられている場合は、表示部１１０の表示面１１１には、前述したガイダンス領域１１２、第１の流体表示領域１１４、第２の流体表示領域１１６、第３の流体表示領域１５０、第４の流体表示領域１５２の他に、第５の流体がＬＰＧであることを表示する第５の流体表示領域１５４と、第６の流体がレギュラーガソリンであることを表示する第６の流体表示領域１５６とが表示される。
【００３２】
また、第５の流体表示領域１５４には、供給対象流体として第５の流体（本変形例では、ＬＰＧ）が選択された場合に第５の供給量表示部１５５が表示される。また、第６の流体表示領域１５６には、供給対象流体として第６の流体（本変形例では、レギュラーガソリン）が選択された場合に第６の供給量表示部１５７が表示される。
【００３３】
この変形例の場合は、設定器３０において、被供給体に応じて６種類の流体の中から一の流体を選択することができ、流体供給機２０に対して選択された供給経路の許可信号を送信される。これにより、上記実施例の場合と同様に、選択された流体経路のノズルを操作して被供給体に流体を供給することが可能になる。
【００３４】
また、選択された供給対象流体の供給量は、流体供給機２０に搭載された流量計６０の流量パルスを積算して求まり、選択された供給対象流体の供給量表示部（第１〜第６の供給量表示部１１５，１１７，１５１，１５３，１５５，１５７の何れか）の数値を一旦クリアした後、供給量に応じた流量パルスを積算して数値を更新して常に現在の供給量を表示する。
【００３５】
これにより、流体供給機２０に流量表示器を設けなくても設定器３０の表示部１１０に表示された当該流体の供給量表示部により、現在の供給量を容易に確認することができる。
【産業上の利用可能性】
【００３６】
上記実施例では、流体供給機２０と設定器３０とが制御可能に接続された構成を例に挙げたが、これに限らず、複数の流体供給機２０と設定器３０とが制御可能に接続される構成のものにも適用できるのは、勿論である。
【００３７】
また、上記実施例では、車両に搭載されたタンクに流体を供給する場合について説明したが、例えば、トラックの荷台に比較的容量の小さいタンクと上記流体供給機２０と設定器３０とを組み合わせた車載型の流体供給装置にも、本願発明を適用できるのは勿論である。
【図面の簡単な説明】
【００３８】
【図１】本発明による流体供給量管理システムの一実施例を示すブロック図である。
【図２】設定器３０の正面図である。
【図３】表示部１１０に表示されるスタート画面Ａの表示例を示す図である。
【図４】設定器３０の制御部１６０が実行する制御処理について説明するためのフローチャートである。
【図５】表示部１１０に表示される各画面Ａ〜Ｄを時系列的に示す図である。
【図６Ａ】ＣＮＧの供給が終了したとき発行される伝票を示す図である。
【図６Ｂ】軽油の供給が終了したとき発行される伝票を示す図である。
【図７】表示部１１０の別の表示例１を示す図である。
【図８】表示部１１０の別の表示例２を示す図である。
【符号の説明】
【００３９】
１０  流体供給量管理システム
２０  流体供給機
３０  設定器
６０  流量計
１１０  表示部
１１１  表示面
１１４  第１の流体表示領域
１１５  第１の供給量表示部
１１６  第２の流体表示領域
１１７  第２の供給量表示部
１２０  ＩＣカードリーダ部
１３０  磁気カードリーダ部
１４０  伝票発行部
１５０  第３の流体表示領域
１５１  第３の供給量表示部
１５２  第４の流体表示領域
１５３  第４の供給量表示部
１５４  第５の流体表示領域
１５５  第５の供給量表示部
１５６  第６の流体表示領域
１５７  第６の供給量表示部
【図１】
2010120687.tif 000003
【図２】
2010120687.tif 000004
【図３】
2010120687.tif 000005
【図４】
2010120687.tif 000006
【図５】
2010120687.tif 000007
【図６Ａ】
2010120687.tif 000008
【図６Ｂ】
2010120687.tif 000009
【図７】
2010120687.tif 000010
【図８】
2010120687.tif 000011